(57)【要約】【課題】  本考案は、一対のリングからなるペアリングを横に並べると、個別のリング単独では表れていなかった好みの完成デザインが、両リングの外周面又は内周面に跨って表示され、両リングの結び付きの意外性により、ペアリングの所有者たるカップルの結びつきの深さ、信頼の深さ等を確認することができ、従来のペアリングでは楽しむことのできなかった斬新な局面を経験できるものである。【解決手段】  男性用リングと女性用リングとの一対のペアリングで構成され、一方のリングの外周面（又は内周面）と他方のリングの外周面（又は内周面）に部分装飾物を形成し、両リングを横に並べた状態時に、当該部分装飾物の合体により両リングの外周面（又は内周面）に跨って完成デザインが表示されるようになっていることを特徴とする。【選択図】  図１
0003102413.tif 000002
【実用新案登録請求の範囲】
【請求項１】
男性用リングと女性用リングとの一対のペアリングで構成され、一方のリングの外周面と他方のリングの外周面に部分装飾物を形成し、両リングを横に並べた状態時に、当該部分装飾物の合体により両リングの外周面に跨って完成デザインが表示されるようになっていることを特徴とするペアリング。
【請求項２】
男性用リングと女性用リングとの一対のペアリングで構成され、一方のリングの内周面と他方のリングの内周面に部分装飾物を形成し、両リングを横に並べた状態時に、当該部分装飾物の合体により両リングの内周面に跨って完成デザインが表示されるようになっていることを特徴とするペアリング。
【請求項３】
各リングの外周面又は内周面に形成される部分装飾物が、膨隆状の部分装飾物であることを特徴とする請求項１又は２記載のペアリング。
【請求項４】
各リングの外周面又は内周面に形成される部分装飾物が、刻設状の部分装飾物であることを特徴とする請求項１又は２記載のペアリング。
【考案の詳細な説明】
【技術分野】
【０００１】
本考案は、ペアリングに関し、さらに詳しくはひとつのリングだけでは完成デザインが表示されないが、一対のリングを横に並べることにより、両リングの外周面又は内周面に跨ってハート、変形ハート、四葉のクローバー、クロス、サッカーボール、文字、記号等の好みの完成デザインが表示されるようなペアリングに関する。
【背景技術】
【０００２】
従来ペアリングは、マッリジリングやエンゲージリングとして、広く普及している。
通常のペアリングは、両リングを組み合わせても、その組み合わせ部に新たな模様やデザインを表示させることはできなかった。
【特許文献１】実用新案登録第３０１５８２６号公報（図１乃至図６）
【考案の開示】
【考案が解決しようとする課題】
【０００３】
従来のペアリングとしては、実用新案登録第３０１５８２６号公報に示されるようなものが知られている。これは第一のリングと、この第一のリングに嵌合させる第二のリングとで構成され、両リングを内外二重に組み合わせるタイプのペアリングにおいて、第一リングの外周面に立体模様部を形成し、第二リングの内周面にも立体模様部を形成するものであった。
【０００４】
上記のペアリングは、第一のリングの外周に第二のリングを嵌合させると、両リングにそれぞれ備えられた立体模様部が相手方リングによって隠されてしまい、せっかく用意した味わいのあるデザインを楽しむことができなくなるという問題点があった。
【０００５】
本考案は、一対のリングからなるペアリングを横に並べると、個別のリング単独では表れていなかった完成デザインが、両リングの外周面又は内周面に跨って表示され、両リングの結び付きの意外性により、ペアリングの所有者たるカップルの結びつきの深さ、信頼の深さ等を確認することができ、従来のペアリングでは楽しむことのできなかった斬新な局面を経験できるものである。
【課題を解決するための手段】
【０００６】
上記目的を達成するために、請求項１記載の考案は、男性用リングと女性用リングとの一対のペアリングで構成され、一方のリングの外周面と他方のリングの外周面に部分装飾物を形成し、両リングを横に並べた状態時に、当該部分装飾物の合体により両リングの外周面に跨って完成デザインが表示されるようになっていることを特徴とするペアリングである。
【０００７】
さらに請求項２記載の考案は、男性用リングと女性用リングとの一対のペアリングで構成され、一方のリングの内周面と他方のリングの内周面に部分装飾物を形成し、両リングを横に並べた状態時に、当該部分装飾物の合体により両リングの内周面に跨って完成デザインが表示されるようになっていることを特徴とするペアリングである。
【０００８】
本考案に係るペアリングは、従来にないペアリングとしての意外性を備えているため、ペアリングそのものの価値観を高めるという効果がある。
【０００９】
請求項３は、各リングの外周面又は内周面に形成される部分装飾物が、膨隆状の部分装飾物であることを特徴とする請求項１又は２記載のペアリングである。
【００１０】
このペアリングによれば、立体的な部分装飾物が表れるので、ボリューム感のあるペアリングとなる。
【００１１】
請求項４は、各リングの外周面又は内周面に形成される部分装飾物が、刻設状の部分装飾物であることを特徴とする請求項１又は２記載のペアリングである。
【００１２】
このペアリングによれば、凹面状の深みのある部分装飾物が表れるので、デリケート感のあるペアリングとなる。
【考案の効果】
【００１３】
以上述べたように、請求項１及び２によるペアリングによれば、従来にないペアリングとしての意外性を備えているため、ペアリングそのものの価値観を高めるという効果がある
【００１４】
請求項３は、立体的な部分装飾物が表れ、ボリューム感のあるペアリングとなる効果がある。
【００１５】
請求項４は、凹面状の深みのある部分装飾物が表れ、デリケート感のあるペアリングとなる効果がある。
【考案を実施するための最良の形態】
【００１６】
以下添付図面に基づいて、本考案に係るペアリングの実施例を詳説する。
図1は本考案に係るペアリングを横に並べた状態の第１実施例の斜視図、図２は男性用リングの正面図、図３は同右側面図、図４は女性用リングの正面図、図５は同左側面図、図６はペアリングを横に並べた状態の縦断面図（部分装飾物が膨隆状の場合）、図７はペアリングを横に並べた状態の縦断面図（部分装飾物が刻設状の場合）、図８はペアリングの内周面に完成デザインを表示させた第２実施例の斜視図である。
【実施例１】
【００１７】
本考案のペアリング１は、同種素材、同種デザインの比較的大き目の男性用リング２と比較的小さめの女性用リング３とで構成され、個別リングの使用時にはそれぞれ別個に各人の指に装着して使用される。
【００１８】
ここで男性用リング２と女性用リング３の外周面２ａ，３ａには、両リングに跨ってハート、変形ハート、四葉のクローバー、クロス、サッカーボール、文字、記号等好みの完成デザイン５を分割した状態の部分装飾物４が形成されている。この部分装飾物４は、個別リングにおいては、図２及び図４に示されるように単独では完成デザイン５を表示できないが、両リングを横に並べた状態にしたとき（ペアリングとして並べたとき）に初めて、部分装飾物４の合体により、両リングに跨る完成デザイン５が一体的に表示できるようになっている。
【００１９】
また部分装飾物４の形態としては、図６に示すように膨隆状の部分装飾物にする例や、図７に示すように刻設状の部分装飾物にする例が考えられる。
【００２０】
上記のペアリング１によれば、ペアリング１を所有する夫婦、恋人、友人が、各リング２，３をそれぞれ別個に単独で使用しているときは普通のリングであるが、二人の個別リング２，３を横に並べると、ペアリング１の外周面に、例えば愛の象徴であるハート模様のような完成デザイン５が表示されることとなる。
【００２１】
なお個別のリング２，３における部分装飾物４は、両リング２，３を横に並べた際に完成デザイン５が表示されるようになっていればよいので、個々の部分装飾物の切断位置は必ずしも完成デザイン５の中央部に来る必要はなく、自由にその切断位置を選択することができる。そのため、一方のリングの部分装飾物が、他方の部分装飾物と比べて大きくなったりしてもまったく問題はない。
【実施例２】
【００２２】
実施例２は、部分装飾物４を各リング２，３の内周面２ｂ，３ｂに形成するもので、それ以外の説明は実施例１の場合とまったく同様である。
【産業上の利用可能性】
【００２３】
本考案のペアリングは、指輪製造産業界において広く利用される。
【図面の簡単な説明】
【００２４】
【図１】本考案に係るペアリングを横に並べた状態の第１実施例の斜視図である。
【図２】男性用リングの正面図である。
【図３】同右側面図である。
【図４】女性用リングの正面図である。
【図５】同左側面図である。
【図６】ペアリングを横に並べた状態の縦断面図（部分装飾物が膨隆状の場合）である。
【図７】ペアリングを横に並べた状態の縦断面図（部分装飾物が刻設状の場合）である。
【図８】ペアリングの内周面に完成デザインを表示した第２実施例の斜視図である。
【符号の説明】
【００２５】
１…ペアリング
２…男性用リング
３…女性用リング
２ａ…男性用リングの外周面
３ａ…女性用リングの外周面
２ｂ…男性用リングの内周面
３ｂ…女性用リングの内周面
４…部分装飾物
５…完成デザイン
【図１】
0003102413.tif 000003
【図２】
0003102413.tif 000004
【図３】
0003102413.tif 000005
【図４】
0003102413.tif 000006
【図５】
0003102413.tif 000007
【図６】
0003102413.tif 000008
【図７】
0003102413.tif 000009
【図８】
0003102413.tif 000010